(57)【要約】【課題】  理容の顔剃りやフェイスエステティック等の化粧を落とした状態で施術する顔施術を他の客に見られることなく効率的に実施することのできる個別フェイスサービスシステムを提供する。【解決手段】  任意の店舗周壁と、店舗周壁に並設された店舗入口、店舗出口と、店舗内に設けられ店舗入口及び店舗出口に面する共通の受付清算カウンターと、店舗周壁から前記受付清算カウンター間に店舗入口側と店舗出口側を隔てる出入り口隔壁と、店舗入口から移動できる場所にある待合設備と、該待合設備から直接入室可能で個別に仕切られ理容の顔剃りやフェイスエステ等の顔施術可能となった複数の顔施術設備と、該顔施術設備から隔壁を通してそれぞれ移動可能であり個別に仕切られた化粧室と、各化粧室から移動可能で店舗出口側まで通じる共通した出口ルートとより構成される。【選択図】          図１
2006149990.tif 000002
【特許請求の範囲】
【請求項１】
任意の店舗周壁と、店舗周壁に並設された店舗入口、店舗出口と、店舗内に設けられ店舗入口及び店舗出口に面する共通の受付清算カウンターと、店舗周壁から前記受付清算カウンター間に店舗入口側と店舗出口側を隔てる出入り口隔壁と、店舗入口から移動できる場所にある待合設備と、該待合設備から直接入室可能で個別に仕切られ理容の顔剃りやフェイスエステ等の顔施術可能となった複数の顔施術設備と、該顔施術設備から隔壁を通してそれぞれ移動可能であり個別に仕切られた化粧室と、各化粧室から移動可能で店舗出口側まで通じる共通した出口ルートとよりなる個別フェイスサービス店舗システム。
【請求項２】
出口ルートに共通で使用でき洗髪や髪染め等の髪施術設備を具備することを特徴とする請求項１記載の個別フェイスサービス店舗システム。
【請求項３】
出口ルートに髪のブローをすることができる複数のブロー設備を具備することを特徴とする請求項２記載の個別フェイスサービス店舗システム。
【請求項４】
出口ルートに商品展示販売設備を具備することを特徴とする請求項１、２又は３記載の個別フェイスサービス店舗システム。
【請求項５】
各顔施術設備と各化粧室間に出入り口を有する隔壁で仕切られ各顔施術設備に移動可能なスタッフ移動手段を具備することを特徴とする請求項１、２、３又は４記載の個別フェイスサービス店舗システム。
【発明の詳細な説明】
【技術分野】
【０００１】  本発明は理容の顔剃りやフェイスエステティック等の化粧を落とした状態で施術する顔施術を他の客に見られることなく効率的に実施することのできる個別フェイスサービス店舗システムに関する。
【背景技術】
【０００２】  従来、理容店、美容店においては、顔施術設備が同一空間内に存在していた。
また、理容店、美容店、エステティックサロンにおいて、施術前の客の待合設備と、施術後の客の退店移動空間が共有空間となるようになっていた。
複数の客の施術をおこなう回転率を向上させるものとして、特許文献１にあげられたように同一空間の壁面側に複数の施術席を設け、中央に共通で使用することができる備品収納設備を設けたものがあった。
【特許文献１】  特開２００２−２８２０４６
【発明の開示】
【発明が解決しようとする課題】
【０００３】  顔施術設備が同一空間内に存在している店舗システムにおいては、客が他の客に化粧を落とした状態の顔を見られる可能性があるため、客が精神的不安、精神的苦痛を受けるものであった。
施術前の客の待合設備と、施術後の客の退店移動空間が共有空間となるようになった店舗設備においては、移動に際して混雑、混乱を生み出し、店舗全体の回転効率を低下させる事態を招いていた。また、他の客と接する機会が多いために、他の客に接することで対人的精神苦痛を客が受けることがあった。
【課題を解決するための手段】
【０００４】  任意の店舗周壁と、店舗周壁に並設された店舗入口、店舗出口と、店舗内に設けられ店舗入口及び店舗出口に面する共通の受付清算カウンターと、店舗周壁から前記受付清算カウンター間に店舗入口側と店舗出口側を隔てる出入り口隔壁と、店舗入口から移動できる場所にある待合設備と、該待合設備から直接入室可能で個別に仕切られ理容の顔剃りやフェイスエステ等の顔施術可能となった複数の顔施術設備と、該顔施術設備から隔壁を通してそれぞれ移動可能であり個別に仕切られた化粧室と、各化粧室から移動可能で店舗出口側まで通じる共通した出口ルートとより構成される。【０００５】  出口ルートに共通で使用でき洗髪や髪染め等の髪施術設備を具備することを特徴とする。【０００６】  出口ルートに髪のセルフブローをすることができる複数のセルフブロー設備を具備することを特徴とする。【０００７】  出口ルートに商品展示販売設備を具備することを特徴とする。【０００８】  各顔施術設備と各化粧室間に出入り口を有する隔壁で仕切られ各顔施術設備に移動可能なスタッフ移動手段を具備することを特徴とする。
【発明の効果】
【０００９】  本発明において、個別に顔施術設備と化粧室が仕切られていることにより、客は他人に化粧を落とした状態の顔を見られることなく安心して施術を受けることができる。
顔施術設備と化粧室が仕切られていることにより、顔施術を受けた客を化粧室に移動させることで、次の客が顔施術を受けることができ、化粧をする時間を省くことができるため、効率的に作業を進めることができる。
入口から出口までが一方通行のルートとなっているために、客は迷うことなく一連の施術を受けるとともに化粧やヘアーブロー等の作業をおこなうことができるとともに混雑を防ぐことが可能となる。あわせて、不要に他の客と接する機会が減少するため客は対人的不安心理を極力受けることがなくなる。【００１０】  出口ルートに共通で使用でき洗髪や髪染め等の髪施術設備を具備することにより、化粧後の髪施術に関しては希望する客だけが髪施術を受けることができ、個別に髪施術設備を設けた場合と比較して省スペースで効率的な対応が可能となった。
また、出口ルートに髪のブローをすることができる複数のブロー設備を具備することで、髪施術とブロー作業を異なる場所でおこなうことができるので、髪施術設備を効率的に利用することが可能となった。【００１１】  出口ルートに商品展示販売設備を具備することで、商品販売利益を上げることが可能となり、店舗面積における売上高を向上させることが可能となった。【００１２】  各顔施術設備と各化粧室間に出入り口を有する隔壁で仕切られ各顔施術設備に移動可能なスタッフ移動手段を具備することで、本システムの効果を維持させた状態でスタッフの移動が可能となり、スタッフ管理効率を向上させることが可能となった。
【発明を実施するための最良の形態】
【００１３】  以下、本発明の実施の形態について、以下図１乃至図４を利用して説明する。
図１は本発明の概要図、図２は本発明の店舗出入口概要図、図３は本発明の顔施術設備と化粧室の概要図、図４は本発明の髪施術関連設備の概要図である。
図１に示すように、周壁２で囲まれた店舗１である。店舗としては、個別に建設されたものであってもよいし、任意の施設内の設けられたものであってものよい。また、周壁２に関しては店舗を構成するものであれば、その仕様は問わない。
図２に示すように、一つの出入口側の周壁２に対して、店舗入口３と店舗出口４が並んで設けられている。
店舗内では、店舗入口３、店舗出口４に面する位置に受付清算カウンター６が設けられている。この受付清算カウンター６は一体となったもので、入口側のお客、出口側のお客に対して接客できるカウンター構造となっている。また、入口側のスペースに出るためにカウンター出入機構７ａ、出口側のスペースに出るためにカウンター出入機構７ｂが設けられている。これらカウンター出入機構に関してはテーブルが上がって出入できるもの、開閉ドアをつけたものをはじめ、人が出入できるようにあらかじめ開放されたものなど通常人が出入するために必要な構造であればよい。
店舗入口３と店舗出口４の間の周壁と受付清算カウンター６の間には、入口側と出口側を仕切るように出入口隔壁５が設けられている。この出入口隔壁５に関しては、客が移動できない範囲のものであればよく、天井まで届く壁であってもよいし、反対側が見える位であってもよい。また、カウンターテーブル状にしたものであってもよい。
店舗の入口側のスペースには、待合設備８が設けられている。この待合設備としては、テーブルと椅子等、順を待つ人が控えられるものであればよい。また、任意の仕切りを設けることも可能である。
図３に示すように待合設備８から施術室入口１１を有する隔壁を介して、３つの施術室９がそれぞれ壁で囲まれて設けられている。施術室９ａ、９ｂ、９ｃはそれぞれ一人のみ利用可能となったものであり、施術椅子１２が各々に設けられている。また、図には示していないが、顔剃りやフェイスエステ等に必要な棚などの諸設備がそれぞれに設けられている。
施術室９と隔壁１３を介して化粧室１０が設けられている。この化粧室１０の隔壁１３には対応する施術室９からそれぞれ移動できるようにドアなどが設けられており、それぞれが任意の仕切りで仕切られた個室構造となっている。また、化粧室１０には客用椅子１４や化粧台１５等、化粧に必要な設備が備えられている。
この化粧室１０に関しては、自身で化粧をするものであってもよいし、店舗スタッフが化粧メイクを施す形式のものであってもよい。
化粧室１０には、それぞれ出口ルート３０ａとなる共有スペースにつながる化粧室出口１６が設けられている。
共有スペースには、洗髪や髪染めのための洗髪設備１８が設けられている。図４においては、どの化粧室１６からの客が利用できる一つの洗髪設備１８が店舗隅に設けられている。洗髪設備には人が出入できる範囲で洗髪設備用隔壁１９が設けられている。洗髪設備用隔壁１９ｂの隣には、ブロー作業台２０が壁面側に設けられている。図においては、このブロー作業台２０は３人が利用できる長さ大きさとなっており、３人分のブロー椅子２１が配置されている。
共有スペースの開いたスペースには休憩設備２２として椅子やテーブルが設けられている。この休憩設備は化粧やブローが終わって客が利用できるとともに、洗髪待ち、ブロー待ちにも利用されるように配置されている。
この共有スペースからつながり出口方向へと出口ルート３０ｂとなる通路が設けられている。この通路の壁面側には商品展示棚２３が設けれており、化粧品、健康食品、健康器具などの理美容に関連した商品をはじめとし、各種商品が展示されるようになっている。
図において、受付清算カウンター６の後ろには顔施術室９ｃに併設するようにクローク２５が設けられており、クローク２５の後ろには顔施術室９ｃ、化粧室１０ｃに併設するようにスタッフルーム２４が設けられている。クローク２５、スタッフルーム２４に関しては、図示構造に限定されるものではない。また、共通して利用できるもの、他の備品室等としてもよい。
出口ルート３０ｂから出口ルート３０ｃとして店舗出口側のカウンター前のスペースが設けられている。
図においては、トイレなどの附帯設備は省略しているが、待合設備側、出口ルート側にトイレ等の附帯設備を設けても良い。また、別途スタッフ用などの出入口を設けることも可能である。
また、図４に示すようにブロー椅子２１及びブロー作業台２０はセルフブロー仕様になっているが、個別に店舗スタッフの理美容を受けられる、理美容専用構造となったものであってもよい。
顔施術室及び化粧室の数に関しても、必要に応じて数を増やしたり、減らすことも可能である。
本発明は以上の構成よりなっている。【００１４】  以下、本発明の利用方法について説明する。
利用者である客は、店舗１の店舗入口３から入店する。そして、受付カウンターで施術サービスの受付をする。この際、貴重品などはクロークに保管してもらうことも可能となっている。
受付を終えた客は自分の順番がくるまで待合設備８にて控えている。そして、スタッフの指示に従い利用可能な施術室９に施術室入口を通って入っていく。
施術室９では、化粧を落としたうえで、施術椅子１２に座って、顔剃りやフェイスエステ等の任意の顔施術を受ける。
顔施術が終了した段階で、隔壁１３を介して設けられた化粧室１０へと移動して、化粧をする。店舗スタッフは、顔施術を終えて客が隣の化粧室１０に移動した段階で次の客の準備をして、新たな客をいれ顔施術をする。この際、客が化粧室１０に移動して化粧をするので、顔施術室９での化粧時間を削減することができ、効率的な利用が可能となる。
化粧室１０にて化粧を終えた客は化粧室出口を通って、共有スペースへ出る。
そして、洗髪や髪染め等のサービスを受ける場合は洗髪設備１８に移動して各種サービスを受ける。洗髪設備１８を先の客が利用していた場合は、休憩設備２２で待機して順番を待つ。
洗髪設備１８におけるサービスを終えた客はブロー作業台２０前のブロー椅子２１に座り、ブロー作業をおこなう。図４においては、セルフブロー形式の構造となっているが、理美容専用構造の場合は、個別の場所で店舗スタッフの理美容サービスを受ける。
全サービスを受け終えた客は、出口へ向かう通路である出口ルート３０ｂを通って移動する。この際、壁面側に諸商品が並んだ商品展示棚２３の商品をみて、商品の購入を検討することも可能である。
最後に、出口ルート３０ｃである出口側の受付清算カウンター６にきて、全サービスの生産及び商品の購入清算をしたうえで店舗出口４から退店する。【００１５】  他の実施の形態について図５を利用して説明する。
本事例においては、各顔施術室９、各化粧室１０へスタッフが客の邪魔をすることなく移動するためにスタッフ移動空間２８が設けられたものである。このスタッフ移動空間２８は、顔施術室９と化粧室１０の間にそれぞれ隔壁を介して構成されたものである。さらに、このスタッフ移動空間２８はそれぞれ移動可能となるスタッフ移動出入口２７を有する隔壁で仕切られている。
そして、スタッフルーム２４とスタッフ移動出入口２７ｃで出入可能となっている。
なお、図において各スタッフ移動空間２８はそれぞれ隔壁で仕切られているが、隔壁のない共通空間とすることも可能である。【００１６】  これを利用することで、店舗スタッフはスタッフルーム２４からそれぞれの顔施術室９ａ；９ｂ；９ｃ及び化粧室１０ａ；１０ｂ；１０ｃに移動することが可能であり、客の要望に応じての移動やスタッフ交代の移動をスムーズにおこなうことが可能となる。
【図面の簡単な説明】
【００１７】
【図１】  本発明の概要図
【図２】  本発明の店舗出入口概要図
【図３】  本発明の顔施術設備と化粧室の概要図
【図４】  本発明の髪施術関連設備の概要図
【図５】  本発明の他の実施形態の概要図
【符号の説明】
【００１８】１  店舗、
２  周壁、
３  店舗入口、
４  店舗出口、
５  出入口隔壁、
６  受付清算カウンター、
７；７ａ；７ｂ  カウンター出入機構、
８  待合設備、
９；９ａ；９ｂ；９ｃ  顔施術室、
１０；１０ａ；１０ｂ；１０ｃ  化粧室、
１１；１１ａ；１１ｂ；１１ｃ  施術室入口、
１２；１２ａ；１２ｂ；１２ｃ  施術椅子、
１３；１３ａ；１３ｂ；１３ｃ；１３ｄ；１３ｅ；１３ｆ  隔壁、
１４；１４ａ；１４ｂ；１４ｃ  客用椅子、
１５；１５ａ；１５ｂ；１５ｃ  化粧台、
１６；１６ａ；１６ｂ；１６ｃ  化粧室出口、
１７  洗髪椅子、
１８  洗髪設備、
１９；１９ａ；１９ｂ  洗髪設備用隔壁、
２０  ブロー作業台、
２１；２１ａ；２１ｂ；２１ｃ  ブロー椅子、
２２  休憩設備、
２３  商品展示棚、
２４  スタッフルーム、
２５  クローク、
２６；２６ａ  スタッフルーム出入口、
２７；２７ａ；２７ｂ；２７ｃ  スタッフ移動出入口、
２８；２８ａ；２８ｂ；２８ｃ  スタッフ移動空間、
３０；３０ａ；３０ｂ；３０ｃ  出口ルート
【図１】
2006149990.tif 000003
【図２】
2006149990.tif 000004
【図３】
2006149990.tif 000005
【図４】
2006149990.tif 000006
【図５】
2006149990.tif 000007